【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】
【請求項１】
（ａ）複数の顧客端末の各々においてネットワーク資源の各顧客端末による使用を測定する段階と、
（ｂ）次に、段階（ａ）によって生成された測定データからネットワーク使用料金を計算する段階と、を備える通信ネットワークを動作する方法において、
（ｃ）該通信ネットワークのオペレータは、少なくとも１の顧客端末によって、該１又はそれぞれの顧客端末によるネットワーク資源の使用の一部のみを測定することにより、ネットワーク資源の使用をサンプリングし、これを、該サンプリングされた使用に関して、段階（ａ）において該１又はそれぞれの顧客端末によって測定されたネットワーク資源の使用と段階（ｂ）において計算されたネットワーク使用料金の１又は両方と比較することを特徴とする方法。
【請求項２】
それぞれの顧客端末における一連の測定により生成された測定データを集計する段階をさらに含む請求項１に記載の方法。
【請求項３】
該測定データを記憶することをさらに含む請求項１または請求項２に記載の方法。
【請求項４】
該測定データと共に、前記測定データに適用可能なタリフを識別するデータを記憶することを含む請求項３に記載の方法。
【請求項５】
段階（ａ）によって生成されたデータまたは段階（ａ）によって生成されたデータから計算された使用料金を、ネットワークオペレータによって制御されるネットワーク口座オブジェクトへ通信することを含む請求項１ないし請求項４の何れか１項に記載の方法。
【請求項６】
ネットワーク口座オブジェクトへ、該測定データから計算される使用料金を通信することを含む請求項５に記載の方法。
【請求項７】
測定データを顧客端末から遠隔のシステムへ通信することを含む請求項１ないし請求項６の何れか1項に記載の方法。
【請求項８】
前記サンプリング段階は、顧客端末とネットワークとの間で通信されるトラヒックの一部のみをサンプリングすることを含み、このサンプリングされたトラヒックについて、このようにしてサンプリングされたネットワーク使用をそれぞれの顧客端末からネットワーク口座オブジェクトへ通信されるデータと比較して、それにより不一致を検出することをさらに含む請求項５または請求項６に記載の方法。
【請求項９】
ネットワーク口座オブジェクトが、ネットワークオペレータによって制御される測定値オブジェクトからまたは顧客端末からデータを受け取るように構成することができる請求項１ないし請求項８の何れか１項に記載の方法。
【請求項１０】
顧客端末と関係する顧客口座オブジェクトが、データをネットワーク口座オブジェクトへ向けるように構成することができる請求項９に記載の方法。
【請求項１１】
前記測定オブジェクトからデータが受け取られる構成と、顧客端末からデータが受け取られる別の構成との間で、ネットワーク口座オブジェクトにおいて受け取られた制御信号に応答して、ネットワーク口座オブジェクトをスイッチングすることを含む請求項９または請求項１０に記載の方法。
【請求項１２】
タリフを各顧客端末へ通信することと、各顧客端末においてタリフからおよび口座データからネットワーク使用料金を計算することとをさらに含む請求項１ないし請求項１１の何れか１項に記載の方法。
【請求項１３】
該通信ネットワークが、複数のネットワークドメインを備える連合形のデータネットワークである請求項１ないし請求項１２の何れか1項に記載の方法。
【請求項１４】
顧客端末と、この顧客端末に接続された第１のネットワークドメインとの間でトラヒックを通信することと、
第１のネットワークドメインと、該第１のネットワークドメインに接続された第２のネットワークドメインとの間で前記トラヒックをさらに通信することと、
顧客端末から第１のドメイン内の第１のネットワーク口座オブジェクトへネットワーク使用データを通信することと、
第１のネットワーク口座オブジェクトと、第２のドメイン内の第２のネットワーク口座オブジェクトとの間で口座データを通信することとを含む請求項１３に記載の方法。
【請求項１５】
第１のネットワークドメインにおける現在のルート設定テーブルから、第１のネットワークドメインを介して顧客端末とデータを通信する第２のドメインの識別子を判断し、顧客端末に関するネットワーク使用データを現在のルート設定テーブルによって識別される第２のドメインへ通信することを含む請求項１４に記載の方法。
【請求項１６】
前記測定段階が、顧客端末と通信ネットワークとの間で送られるパケット内で通信されるデータ量を計数することを含む請求項１ないし請求項１５の何れか1項に記載の方法。
【請求項１７】
顧客端末によって受け取られるパケットと顧客端末によって送られるパケットの両方を測定することを含む請求項１６に記載の方法。
【請求項１８】
ネットワーク使用に対する支払いが、第３者の決済者に行われる請求項１ないし請求項１７の何れか１項に記載の方法。
【請求項１９】
ネットワークのローディングに依存してネットワーク使用に対するタリフを自動的に変更して、該タリフを測定データへ適用することによってネットワーク使用に対する料金を計算することを含む請求項１ないし請求項１８の何れか1項に記載の方法。
【請求項２０】
複数の異なるサービスクラスをもつネットワーク上でパケットを送ることを含む請求項１ないし請求項１９の何れか1項に記載の方法。
【請求項２１】
前記パケットをパケットルータを通して送り、該パケットルータにおいてパケットに適用可能なサービスクラスを判断し、各サービスクラスに依存して異なってパケットをスケジューリングすることを含む請求項２０に記載の方法。
【請求項２２】
パケットの分類を管理して、各サービスクラスに対するパケットの適格性を判断する段階が、ルータから遠隔の位置において実行される請求項２１に記載の方法。
【請求項２３】
前記管理段階が、顧客端末において実行される請求項２２に記載の方法。
【請求項２４】
ネットワークは少なくとも１のネットワークドメインを備え、該１又はそれぞれのネットワークドメインはそれぞれのネットワークオペレータにより動作される請求項１に記載の通信ネットワークを動作する方法において、該方法は、
（１）ネットワークへ接続された送信元の顧客端末から、該ネットワークへ接続された少なくとも１つの送信先の顧客端末へデータフローを設定することと、
（２）該または各ネットワークオペレータから決済エンティティへタリフデータを通信することと、
（３）２地点間フローに関して決済エンティティから、送信元および送信先顧客端末の少なくとも１つへタリフデータを通信することと、を備え、
段階（ａ）は、（４）送信元の顧客端末からネットワーク内へ流れるデータ量と、ネットワークから該１の又はそれぞれの送信先の顧客端末へ流れ出るデータ量とをそれぞれの顧客端末で測定することを備え、
該方法は、
（５）段階（４）によって生成された測定データを該決済エンティティへ通信することと、
（６）該決済エンティティで測定データおよびタリフから料金を計算することと、
（７）該計算された料金にしたがって該決済エンティティから少なくとも１のネットワークオペレータの少なくとも１へ支払を行うことと、
（８）２地点間タリフにしたがう請求書を、該決済エンティティから、送信元顧客および送信先顧客の少なくとも１へ通信することと、をさらに備え、段階（ｃ）は、少なくとも１の顧客端末によって該１のまたはそれぞれの顧客端末による使用の一部のみを測定することによりネットワーク資源の使用をサンプリングすることと、サンプリングした使用に関して、これを段階（４）において該１またはそれぞれの顧客端末により測定されたネットワーク資源の使用と段階（６）において計算されたネットワーク使用料金の１又は両方と比較することとを備える、方法。
【請求項２５】
不一致が検出されたときに、顧客に科料を課すことを含む、請求項８、または請求項８に従属するときの請求項９ないし請求項２３の何れか１項に記載の方法。
【請求項２６】
請求項１ないし請求項２５の何れか１項に記載の通信ネットワークを動作する方法において、該ネットワークは複数のネットワークドメインを備え、該方法はネットワークを介して第1の顧客から第２の顧客へタリフを伝送するときにネットワーク資源の使用に対する料金を計算することをさらに含み、
該伝送において使用されるネットワーク資源に依存してコストを判断することと、
第１および第２の顧客に対するコスト割り当てパラメータを判断することと、
該コストと割り当てパラメータとを組合せることによって第１と第２の顧客の一方または両方に対する料金を計算すること、とを含む方法。
【請求項２７】
通信ネットワークと該ネットワークに接続された複数の顧客端末を備える通信システムにおいて、
各顧客端末は、ネットワーク資源の端末による使用を測定する測定手段と、該測定されたネットワーク使用に依存してネットワーク使用料金を計算する計算手段の１又は両方を含み、
該ネットワークは、顧客端末測定手段によって生成された測定データと、顧客端末計算手段によって生成された使用料金データの１又は両方を受領する受領手段を含み、
該ネットワークは、少なくとも１の顧客端末によって該１のまたはそれぞれの顧客端末によるネットワーク資源の使用の一部のみを測定することによりネットワーク資源の使用をサンプリングし、サンプリングした使用に関して、これをそれぞれの顧客端末から受領した測定データと使用料金データの１又は両方と比較するサンプリング手段をさらに含む、通信システム。
【請求項２８】
顧客端末測定手段によって生成された測定データと、顧客端末計算手段によって生成された使用料金データの１又は両方を受領する受領手段を備える請求項２７に記載のシステムにおいて使用するための通信ネットワークであって、
顧客端末の少なくとも１により該１またはそれぞれの顧客端末によるネットワーク資源の使用の一部のみを測定することによりネットワーク資源の使用をサンプリングするサンプリング手段と、
該サンプリング手段により測定された使用と、それぞれの顧客端末から受領した測定データと使用料金データの１又は両方とを比較する比較手段とをさらに備える通信ネットワーク。